【手続補正書】
【提出日】平成23年11月9日(2011.11.9)
【手続補正１】
【補正対象書類名】特許請求の範囲
【補正対象項目名】全文
【補正方法】変更
【補正の内容】
【特許請求の範囲】
【請求項１】
湿性基質で支持される生きている植物のための農業的な処理剤であって、前記農業的な処理剤は固形で分離した形態であり、固形粒子を具備し、各粒子は以下を具備する処理剤：
前記基質に不活性な固形材料の粒子を含んでいるコアであって、見かけ上の表面積よりも大きい内部の進展した表面積を含んでいるコア;
前記粒子に吸収および／または前記粒子の表面に吸着した農業的な処理の活性種;
前記コアをカプセル化している膜であって、前記湿性基質と直接的または間接的に接触する場合に活性種に関して外向きに浸透性である少なくとも一つの親水性ポリマーを含む膜;および
前記コアをカプセル化している外側の膜であって、前記基質と接触することで壊れる少なくとも一つの疎水性ポリマーを含む外側の膜。
【請求項２】
請求項1に記載の剤であって、前記固形粒子の平均径は5 および 500 μmの間である剤。
【請求項３】
請求項1に記載の剤であって、前記親水性ポリマーは、ポリビニルピロリドン (PVP), ポリビニルアルコール(PVA), アルギナート, キトサン, 修飾多糖類または無修飾の多糖類, 修飾デンプン, 無修飾のデンプン, セルロース, デキストリン, マルトデキストリン, アラビアゴム, グアールゴム, アカシアゴム, ゼラチン, ダイズタンパク質, および乳清タンパク質からなる群から選択される剤。
【請求項４】
請求項1に記載の剤であって、前記固形材料は、ゼオライト, モンモリロナイト, 炭酸カルシウム, シリカ, 珪藻土, および軽石からなる群から選択されるミネラル材料である剤。
【請求項５】
請求項4に記載の剤であって、前記ミネラル材料は、珪藻, 消石灰, および水の間の熱水反応によって取得される修飾された珪藻土を含む剤。
【請求項６】
請求項1に記載の剤であって、前記固形材料は、マクロ孔質ポリスチレン, ポリアクリレート, 微孔質スチレンマトリックス, および熱収縮性ポリマーからなる群から選択される非ミネラルである剤。
【請求項７】
請求項1に記載の剤であって、前記粒子はミクロスフェアの形態を有する剤。
【請求項８】
請求項1に記載の剤であって、前記粒子はマクロ孔質構造を有する剤。
【請求項９】
請求項1に記載の剤であって、前記固形材料の領域に対する比表面積(BET)は、少なくとも50m2/gと等しい剤。
【請求項１０】
請求項1に記載の剤であって、前記固形材料に対する農業的な処理の活性種の重量比は、少なくとも10-9と等しい剤。
【請求項１１】
請求項1に記載の剤であって、前記親水性ポリマーは、少なくとも30゜Cの温度以上で水に不溶性である剤。
【請求項１２】
請求項1に記載の剤であって、前記農業的な処理のための活性種は、種子の発芽を刺激する産物を含む剤。
【請求項１３】
請求項1に記載の剤であって、前記農業的な処理のための活性種は、植物の成長を促進する産物を含む剤。
【請求項１４】
請求項1に記載の剤であって、前記農業的な処理のための活性種は、若い植物の成長に都合悪い因子を防御するための産物を含む剤。
【請求項１５】
請求項1に記載の剤であって、前記農業的な処理のための活性種は、植物の成長を刺激する又は前記植物を病原体に対抗して防御する微生物を含む剤。
【請求項１６】
請求項1に記載の剤であって、前記疎水性ポリマーは、合成ポリマー, ポリ(3-ヒドロキシオクタノエート) (THO), ポリヒドロキシアルカノエート(THA), 異なる分子量のポリ乳酸(PLA), ポリ(3-ハイドロオキシブチレート-co-3-ヒドロバレレート) (PHVA), ポリ-ε-カプロラクトン(PCL), ブチルスチレンアクリレート, ポリエチレンテレフタラート(PET), グリコール-乳酸のコポリマー, アルキドレジン（alkyd resins）, 修飾デンプン, アルギナート（alginates）, キトサン（chitosans）および ポリサッカライドからなる群から選択される剤。
【請求項１７】
請求項1に記載の剤であって、前記疎水性ポリマーは、5000 および 100000の間のモル質量を有するポリ乳酸またはアルキド樹脂を含む剤。
【請求項１８】
請求項1に記載の農業的な処理剤を得るための方法であって、以下を含む方法：
a)  固形で分離した形態で不活性な材料を提供すること（ここで、前記不活性な材料は、見かけ上の表面積よりも大きい内部の進展した表面積を含む）;
b)  液相での農業的な処理のために選択される活性種を提供すること;
c)  水相での親水性ポリマーを提供すること;
d)  水相で崩壊性の疎水性ポリマーを提供すること;
e)  前記不活性な材料を液相において活性種と浸透して、固形で分離した形態の中間材料がえられて、前記中間材料に活性種が含まれること;
f)  前記中間材料を前記親水性ポリマーと水相でコートして、中間の小球を得ること;
g)  水を前記中間の小球から除去して、中間の処理剤を構成している中間の粉末を得ること;
h)  前記中間の粉末を、前記疎水性ポリマーと水相でコートして小球を得ること;、
i)  水を前記小球から除去して、前記農業的な処理剤を得ること。
【請求項１９】
請求項18に記載の方法であって、「乾燥エマルジョン剤」技術により水が除去される方法。
【請求項２０】
請求項18に記載の方法であって、含浸条件は、前記不活性材料に、液相中に活性種の初期質量の20%および200%の間の液相中の多量の活性種で充填するために事前に規定される方法。
【請求項２１】
請求項18に記載の方法であって、工程(e) および (f)は、同時に、中間材料を流動することによって及び水相で親水性ポリマーを全体を空気の流れのなかで噴霧することによって実施される方法。
【請求項２２】
請求項18に記載の方法であって、前記親水性ポリマーは、前記水相の少なくとも 1%重量を含む方法。
【請求項２３】
請求項22に記載の方法であって、水相における前記疎水性ポリマーは、水中にラテックス、マイクロ懸濁液またはナノ懸濁液を含む方法。
【請求項２４】
請求項22に記載の方法であって、工程(g) および (h)は、同時に、前記中間の粉末を流動すること及び水相で疎水性ポリマーを全体を空気の流れのなかで噴霧することによって実施される方法。
【請求項２５】
請求項18に記載の方法であって、いずれかの処理剤の球状化の工程をさらに具備する方法。
【請求項２６】
請求項18に記載の方法で得られる農業的な処理剤。
【請求項２７】
植物種の生殖または増殖のための分離した形態で別々の成分を含んでいる植物材料であって、別々の成分が請求項1に記載の処理剤を導入している崩壊材料のマトリックスでコートまたはフィルム処理される植物材料。
【請求項２８】
請求項27に記載の材料であって、前記植物材料が、植物種の種子を含む材料。
【請求項２９】
種の生殖または増殖のための植物材料を湿性基質に提供すること;および請求項1に記載の農業的な処理剤を前記湿性基質に提供することを含み、前記農業的な処理のための活性種が発生している植物種の発根の領域又は冠の領域に放出される農業的な処理の方法。
【請求項３０】
請求項29に記載の方法であって、さらに農業的な処理剤を固形で分離した形態で前記植物材料と混合すること;およびこのように得られた混合物を前記湿性基質に配置することを含む方法。
【請求項３１】
請求項29に記載の方法であって、さらに前記湿性基質に配置される前に、前記農業的な処理剤を統合的に前記植物材料と組み合わせることを含む方法。